(57)【要約】      （修正有）【課題】効率的に歯科用ファイバーを切断可能であり、且つ切断後に切断した歯科用ファイバーを紛失することがなくなるとともに、汚すことのないケース付ファイバー用カッターを提供する。【解決手段】歯科用ファイバーが挿通される貫通孔３が形成された板状の第１及び第２のカッター本体４、５を、互いの対向面を当接させて貫通孔３同士を連通させた位置と非連通の位置との間を相対移動自在に連結することにより、貫通孔３に挿通された歯科用ファイバーを剪断力で切断するファイバーカッター１と、第１のカッター本体４の外面に着脱自在に設ける。さらに、開口部において貫通孔３を覆って歯科用ファイバーが挿入される有底円筒状のファイバー用ケース２を備え、ファイバー用ケース２の外周面には、第１及び第２のカッター本体４、５の対向面からの長さ寸法を示す目盛１２を刻設する。【選択図】図１
0003152527.tif 000002
【実用新案登録請求の範囲】
【請求項１】
歯の欠損・損失時における歯科用補綴物の作製に使用される円柱棒状の歯科用ファイバーを切断するファイバー用カッターであって、
上記歯科用ファイバーが挿通される貫通孔が形成された板状の第１及び第２のカッター本体を、互いの対向面を当接させて上記貫通孔を連通させた位置と非連通の位置との間を相対移動自在に連結することにより、上記貫通孔に挿通された上記歯科用ファイバーを剪断力で切断するファイバーカッターと、上記第１のカッター本体の外面に着脱自在に設けられるとともに、開口部において上記貫通孔を覆って上記歯科用ファイバーが挿入される有底円筒状のファイバー用ケースとを備えてなり、
上記ファイバー用ケースの外周面には、上記第１及び第２のカッター本体の上記対向面からの長さ寸法を示す目盛が刻設されていることを特徴とするファイバー用カッター。
【請求項２】
上記ファイバー用ケースには、上記第１のカッター本体の外面と磁着する磁石が備えられていることを特徴とする請求項１に記載のファイバー用カッター。
【請求項３】
上記ファイバー用ケースは、外部から上記歯科用ファイバーを視認可能な透過度を有する素材により構成されていることを特徴とする請求項１または請求項２に記載のファイバー用カッター。
【請求項４】
上記ファイバー用ケースは、ポリメチルペンテンポリマー（ＴＰＸ）により構成されてなることを特徴とする請求項１〜３のいずれかに記載のファイバー用カッター
【請求項５】
上記第１のカッター本体の貫通孔は、上記対向面側から上記外面側に向けて、上記歯科用ファイバーの径と略同径となるように穿設されており、上記第２のカッター本体の貫通孔は、上記対向面側が上記歯科用ファイバーの径と略同径に穿設されるとともに、上記対向面側から上記外方面側に向かうに連れて拡径するテーパー状に穿設されていることを特徴とする請求項１から４のいずれかに記載に記載のファイバー用カッター。
【請求項６】
上記ファイバーカッターは、マルテンサイト系ステンレスにより構成されてなることを特徴とする請求項１〜５のいずれかに記載のファイバー用カッター。
【請求項７】
上記第１及び第２のカッター本体は、円板状に形成され、互いの中心部において連結されるとともに、同一円周上にそれぞれ径の異なる上記貫通孔が複数形成されていることを特徴とする請求項１〜６のいずれかに記載のファイバー用カッター。
【請求項８】
上記ファイバー用ケースには、各々上記複数の貫通孔に連通する独立した有底円筒状のファイバー用ポケットが設けられていることを特徴とする請求項７に記載のファイバー用カッター。
【請求項９】
上記ファイバー用ケースおよび上記第１のカッター本体には、いずれか一方に凹部が形成されるとともに、他方に上記凹部と嵌合する凸部が形成されていることを特徴とする請求項１〜８のいずれかに記載のファイバー用カッター。
【考案の詳細な説明】
【技術分野】
【０００１】
本発明は、歯科用補綴物を歯の欠損・損失箇所に取付けるための支台歯（ファイバーコア）の作製に使用される棒状の歯科用ファイバーを切断するファイバー用カッターに関するものである。
【背景技術】
【０００２】
近年、歯の欠損・損失時における治療方法として、欠損した歯の根の部分に歯科用補綴物を取り付けるべく孔（根管）を形成（根管形成）し、当該根管にポストコアを装着して支台歯を形成した後に、この支台歯に口腔外で形成したクラウンやブリッジ等の歯の形状を模した歯科用補綴物を接着剤などを用いて固定する方法が知られている。
【０００３】
上記ポストコアとしては、従来、ステンレス、チタン合金、１２％金含有金銀パラジウム合金等の金属コアが主として使用されていたが、当該金属コアは、歯に加わる外力を受けると、金属コアを装着する歯の根の部分にひびや割れ（歯根破折）が生じてしまう恐れがあった。また、上記金属コアの問題点として他にも、金属アレルギーを引き起こす可能性がある、本物の歯のように透明感が無く審美性が悪い、また金属イオンが歯肉を黒くする等がある。
【０００４】
このため、近年では、グラスファイバーを束ねてメタクリル樹脂を含浸・重合させて形成した歯科用ファイバーに、高強度のレジンに含浸・重合させて形成することにより、金属ポストと同等の強度を持ち、弾性も歯の象牙質と近似し、歯根破折が生じ難くいファイバーコアが使用されつつある。さらに、当該ファイバーコアは、メタルフリーで金属アレルギーを引き起こすこともなくなるとともに、本物の歯のような透明感をを有することから高い審美性を有し、歯肉が黒くなることのないという利点を有する。
【０００５】
ところで、上記歯科用ファイバーは、上記ファイバーコアを作製する際に、上記根管に挿入すべく所定の長さ寸法に切断する必要がある。
【０００６】
この際、当該歯科用ファイバーは、グラスファイバーを束ねて形成されており、繊維質となっているために、ハサミやニッパーを用いて歯科用ファイバーを切断すると、切断面を潰して毛羽立ってしまい、上記切断面からグラスファイバーがほぐれてしまう恐れがあるという問題点があった。
【０００７】
このため、従来は、歯科用ファイバーを所定の長さ寸法にする切断する際に、切断面を潰すことのないダイヤモンドディスクを用いて剪断していた。
【考案の概要】
【考案が解決しようとする課題】
【０００８】
しかしながら、ダイヤモンドディスクを用いると切断面は綺麗であるものの、一方の手で歯科用ファイバーを持ち、もう片方の手でダイヤモンドディスクを操作し切断するために、高回転しているダイヤモンドディスクを用いて歯科用ファイバーを切断した際に、歯科用ファイバーが意図していない場所に落ちる可能性がある。このため、切断した歯科用ファイバーが紛失したり、床などに落として汚したりしてしまうという問題点があった。
【０００９】
また、ダイヤモンドディスクを用いて歯科用ファイバーを切断する際に、定規などで根管の深さを測定し、切断前に予め上記歯科用ファイバーの所定の位置にペンなどを用いて印を記入する必要がある等、作業性が悪いと言う問題点があった。
【００１０】
本考案は、従来技術の問題点を解決すべくなされたもので、効率的に上記歯科用ファイバーを切断可能であり、且つ切断後に切断した歯科用ファイバーを紛失することがなくなるとともに、汚すことのないファイバー用カッターを提供するものである。
【課題を解決するための手段】
【００１１】
上記課題を解決するために、請求項１に記載の本考案は、歯の欠損・損失時における歯科用補綴物の作製に使用される円柱棒状の歯科用ファイバーを切断するファイバー用カッターであって、上記歯科用ファイバーが挿通される貫通孔が形成された板状の第１及び第２のカッター本体を、互いの対向面を当接させて上記貫通孔を連通させた位置と非連通の位置との間を相対移動自在に連結することにより、上記貫通孔に挿通された上記歯科用ファイバーを剪断力で切断するファイバーカッターと、上記第１のカッター本体の外面に着脱自在に設けられるとともに、開口部において上記貫通孔を覆って上記歯科用ファイバーが挿入される有底円筒状のファイバー用ケースとを備えてなり、上記ファイバー用ケースの外周面には、上記第１及び第２のカッター本体の上記対向面からの長さ寸法を示す目盛が刻設されていることを特徴とするものである
【００１２】
また、請求項２に記載の本考案は、上記ファイバー用ケースに、上記第１のカッター本体の外面と磁着する磁石が備えられていることを特徴とするものである。
【００１３】
そして、請求項３に記載の本考案は、上記ファイバー用ケースは、外部から上記歯科用ファイバーを視認可能な透過度を有する素材により構成されていることを特徴とするものである。
【００１４】
さらに、請求項４に記載の本考案は、上記ファイバー用ケースは、ポリメチルペンテンポリマー（ＴＰＸ）により構成されてなることを特徴とするものである。
【００１５】
また、請求項５に記載の本考案は、上記第１のカッター本体の貫通孔は、上記対向面側から上記外面側に向けて、上記歯科用ファイバーの径と略同径となるように穿設されており、上記第２のカッター本体の貫通孔は、上記対向面側が上記歯科用ファイバーの径と略同径に穿設されるとともに、上記対向面側から上記外方面側に向かうに連れて拡径するテーパー状に穿設されていることを特徴とするものである。
【００１６】
そして、請求項６に記載の本考案は、上記ファイバーカッターは、マルテンサイト系ステンレスにより構成されてなることを特徴とするものである。
【００１７】
さらに、請求項７に記載の本考案は、上記第１及び第２のカッター本体は、円板状に形成され、互いの中心部において連結されるとともに、同一円周上にそれぞれ径の異なる上記貫通孔が複数形成されていることを特徴とするものである。
【００１８】
また、請求項８に記載の本考案は、上記ファイバー用ケースには、各々上記複数の貫通孔に連通する独立した有底円筒状のファイバー用ポケットが設けられていることを特徴とするものである。
【００１９】
そして、請求項９に記載の本発明は、ファイバー用ケースおよび上記第１のカッター本体には、いずれか一方に凹部が形成されるとともに、他方に上記凹部と嵌合する凸部が形成されていることを特徴とするものである。
【考案の効果】
【００２０】
請求項１に記載の本考案のファイバー用カッターによれば、上記第１のカッターの本体の貫通孔が、有底円筒状の上記ファイバー用ケースの開口部によって覆われているために、歯科用ファイバーを切断すると同時に、当該歯科用ファイバーを、上記ファイバー用ケースが受取・保持するために、切断した歯科用ファイバーを紛失することがなくなるとともに、床などに落ちたりして汚れることがなくなる。
【００２１】
また、上記ファイバー用ケースの外周面に、上記第１及び第２のカッター本体の上記対向面からの長さ寸法を示す目盛を刻設しているために、従来のように歯科用ファイバーに予めペンなどを用いて印を記入することなく、定規で確認した根管の長さ寸法に位置する目盛に上記歯科用ファイバーの先端を合わせて切断することにより、確実に歯科用ファイバーを根管の長さ寸法に切断することが可能である。
【００２２】
また、請求項２に記載の本考案によれば、上記ファイバー用ケースに、上記第１のカッター本体の外面と磁着する磁石を備えているために、螺子などによる取付け比べて、上記第１のカッター本体の外面に、容易に上記ファイバー用ケースを取付けすることが可能となるとともに、上記第１のカッター本体の外面から、容易に上記ファイバー用ケースを取り外すことが可能となる。このため、切断した上記歯科用ファイバーを上記ファイバー用ケースから簡単に取り出すことが可能となる。
【００２３】
そして、請求項３に記載の本考案によれば、上記ファイバー用ケースを、外部から上記歯科用ファイバーを視認可能な透過度を有する素材により構成しているために、上記歯科用ファイバーの先端が確実に根管の長さ寸法に位置する目盛へと到達したことをケースの外部から目視により確認できる。
【００２４】
さらに、請求項４に記載の本考案によれば、上記ファイバー用ケースを、ポリメチルペンテンポリマー（ＴＰＸ）により構成してなるために、プラスチック等に比べても、非常に透過度が良く、確実に上記歯科用ファイバーを視認可能である。また、他の透明樹脂のポリカーボネートやアクリルに比べて薬品等に強く、滅菌・消毒液にも耐性を持つとともに、高温の水や水蒸気にも耐性を持つことから、煮沸消毒なども行なうことが可能であり、上記歯科用ファイバーを上記ファイバー用ケース無いに衛生的に保持することが可能である。
【００２５】
また、請求項５に記載の本考案によれば、上記第１のカッター本体の貫通孔を、上記対向面側から上記外面側に向けて、上記歯科用ファイバーの径と略同径となるように穿設しているために、上記歯科用ファイバーを上記対向面に対して垂直な状態を維持することが可能である。この結果、上記歯科用ファイバーが斜めに切断されて、上記歯科用ファイバーの繊維がほぐれてしまうことを防止することが可能となる。
【００２６】
さらに、上記第２のカッター本体の貫通孔の上記対向面側を上記歯科用ファイバーの径と略同径に穿設するとともに、上記第２のカッター本体の貫通孔を上記対向面側から上記外方面側に向かうに連れて拡径するテーパー状に穿設しているために、上記第２のカッター本体の貫通孔の対向面側の縁部に鋭利な剪断刃が形成される。これにより、上記歯科用ファイバーの切断面を潰すことなく切断することが可能となる。
【００２７】
そして、請求項６に記載の本考案によれば、上記ファイバーカッターをマルテンサイト系ステンレスにより構成しているために、他の系統のステンレスと異なり、焼き入れを行うことが可能であり、上記ファイバーカッターの硬度を向上させることが可能となる。また、上記マルテンサイト系ステンレスは、焼き入れを行なっても磁性を有するために、ファイバー用ケースと上記第１のカッター本体とを磁石により着脱することが可能となる。さらに、完全焼き入れ状態にして表面を研磨することにより耐蝕性有するために、衛生的な状態で上記歯科用ファイバーを切断することが可能である。
【００２８】
さらに、請求項７に記載の本考案によれば、円板状の上記第１及び第２のカッター本体を互いの中心部において連結するとともに、同一円周上にそれぞれ径の異なる上記貫通孔を複数形成しているために、上記歯科用ファイバーの径に応じて径の異なる上記貫通孔を適宜選択することにより、一つのファイバー用カッターで、複数の径の異なる上記歯科用ファイバーを切断することが可能となる。
【００２９】
また、請求項８に記載の本考案によれば、上記ファイバー用ケースに、各々上記複数の貫通孔に連通する独立した有底円筒状のファイバー用ポケットを設けているために、異なる径の上記歯科用ファイバーが混在することなく、上記歯科用ファイバーを異なる径毎に分別して上記ファイバー用ケースに保持することが可能となる。
【００３０】
そして、請求項９に記載の本考案によれば、ファイバー用ケースおよび上記第１のカッター本体に、いずれか一方に凹部を形成するとともに、他方に上記凹部と嵌合する凸部を形成しているために、上記凹凸部が上記複数の貫通孔とそれぞれの上記ファイバー用ポケットとを連通させるためのガイドとなる。このため、確実に上記複数の貫通孔とそれぞれの上記ファイバーポケットとが連通する位置で、上記ファイバー用ケースを上記第１のカッター本体に取付けることが可能となる。
【図面の簡単な説明】
【００３１】
【図１】本発明に係るファイバー用カッターの一実施形態を示す斜視図である。
【図２】図１のファイバー用カッターを示すもので、（ａ）は正面図、（ｂ）は側面図、（ｃ）はＩＩｃ−ＩＩｃ断面図、（ｄ）は背面図である。
【図３】図１のファイバー用カッターのファイバー用ケースを示すもので、(ａ)は正面図、(ｂ)は平面図、(ｃ)は側面図、(ｄ)はＩＩＩｄ−ＩＩＩｄ断面図である。
【図４】図１のファイバー用カッターに歯科用ファイバーを挿入した状態を示す側面図である。
【考案を実施するための形態】
【００３２】
以下、本考案のファイバー用カッターの一実施形態について図１〜図４を用いて説明する。
先ず、本考案のファイバー用カッターは、図１に示すように、ファイバーカッター１、ファイバー用ケース２により概略構成されている。
【００３３】
そして、ファイバーカッター１は、図２に示すように、マルテンサイト系ステンレスにより円板状に形成されるとともに、同一円周上にそれぞれ径の異なる貫通孔３が複数（図では３つ）形成された第１および第２のカッター本体４、５の対向面を当接させて、３つの貫通孔３を互いに連通させた位置と非連通の位置との間を回動自在となるように、中心部１８を連結することにより構成されている。
【００３４】
また、第１のカッター本体４には、図２の（ｄ）に示すように、上記同一円周上であり、且つ３つの貫通孔３と干渉しない位置に、凹部１０が２つ形成されている。
【００３５】
そして、第１のカッター本体４の貫通孔３は、図２（ｃ）に示すように、上記対向面側から外面側に向けて、棒状の歯科用ファイバーの径と略同径となるように穿設されている。
【００３６】
これに対して、第２のカッター本体５の貫通孔３は、上記対向面側が上記歯科用ファイバーの径と略同径に穿設されるとともに、上記対向面側から上記外方面側に向かうに連れて拡径するテーパー状に穿設されており、これにより、上記対向面側の縁部に剪断刃２１が形成されている。
【００３７】
また、第１及び第２のカッター本体４、５には、各々円周方向外側に延在する各々第１及び第２の把手６、７が形成されており、第１及び第２の把手６、７には、上記第１及び第２の把手６、７を常時開放する方向、即ち３つの貫通孔３が常時連通する方向に付勢する戻りバネ１１が設けられている。
【００３８】
また、第１のカッター本体４の対向面には、上記同一円周上であり、且つ３つの貫通孔３及び凹部１０と干渉しない位置に、第２のカッター本体５の対向面方向に延びる凸状の係止部８が形成されている。
【００３９】
それに対して、第２のカッター本体５の対向面には、第１のカッター本体４の係止部８と対向する位置に、上記対向面と外面との間を貫通するガイド孔９形成されている。
【００４０】
そして、当該係止部８およびガイド部９によって、第１及び第２のカッター本体４、５が、貫通孔３同士が連通する位置から非連通となる位置以上に回動することのないようにガイドするガイド機構２０が構成されている。
【００４１】
一方、ファイバー用ケース２は、図３に示すように、外部から上記歯科用ファイバーを視認可能な透過度を有する素材であるＴＰＸ（ポリメチルペンテンポリマー）により略有底円筒状に形成されている。
【００４２】
そして、上記ファイバー用ケース２の外周面には、図３（ｂ）および（ｃ）に示すように、上記第１及び第２のカッター本体４、５の対向面からの長さ寸法を示す目盛１２が刻設されている。なお、図３（ｃ）のＩＩＩｃ部に示すように、両端の山状の目盛１２の頂点と頂点との間の長さ寸法が１ｍｍを表している。
【００４３】
また、ファイバー用ケース２の開口部１３側には、図３（ａ）に示すように、凹部２２が形成されており、当該凹部２２の内周面には、円周方向に沿って等間隔に、開口部から底板部に向けて延在する固定用リブ２３が複数（図では８個）突設されている。
【００４４】
そして、上記凹部２２内には、コバルト磁石１９が、当該コバルト磁石１９の上記開口部１３側の面とのファイバー用ケース２の開口部１３の縁部とが面一となるように嵌入され、固定用リブ２３によって固定されている。
【００４５】
さらに、上記ファイバー用ケース２には、各々３つの貫通孔３に連通する独立した有底円筒状のファイバー用ポケット１５が設けられている。
【００４６】
そして、ファイバー用ケース２には、貫通孔３とファイバー用ポケット１５とが連通する位置で、第１のカッター本体４の凹部１０と嵌合する凸部１６が形成されている。
【００４７】
次に、以上の構成からなるファイバー用カッターの操作方法について説明する。
先ず、第１のカッター本体４の凹部１０とファイバー用ケース２の凸部１６とを嵌合させて、ファイバーカッター１にファイバー用ケース２を取り付ける。
【００４８】
この時、ファイバー用ケース２に、第１のカッター本体４の外面と磁着するコバルト磁石を備えているために、螺子を使用しての取付けに比べて、第１のカッター本体４の外面に、容易にファイバー用ケース２を取付けすることが可能となる。
【００４９】
また、第１のカッター本体４の凹部とファイバー用ケース２の凸部１６とが、３つの貫通孔３と３つのファイバー用ポケット１５とをそれぞれ連通させるためのガイドとなる。この結果、確実に３つの貫通孔３と３つのファイバー用ポケット１５とが連通する位置で、ファイバー用ケース２を第１のカッター本体４に取付けることが可能となる。
【００５０】
次いで、図４に示すように、第１及び第２のカッター本体４、５の貫通孔３同士が連通する位置において、歯科用ファイバー１７を貫通孔３に挿入する。
【００５１】
この時、第１及び第２のカッター本体４、５は、同一円周上にそれぞれ径の異なる貫通孔３を複数形成しているために、歯科用ファイバー１７の径に応じて径の異なる貫通孔３を適宜選択することにより、一つのファイバー用カッターで複数の径の異なる歯科用ファイバー１７を切断することが可能となる。
【００５２】
また、ファイバー用ケース２を、外部から歯科用ファイバー１７を視認可能な透過度を有する素材であるＴＰＸにより構成しているために、歯科用ファイバー１７の先端が確実に根管の長さ寸法に位置する目盛１２へと到達したことを、ケースの外部から目視により確認できる。
【００５３】
次いで、歯科用ファイバー１７の先端を、予め測定した根管に挿入すべく所定の長さ寸法に合わせた後に、上記第１及び第２のカッター本体４、５の把手６、７を掌握して、第１及び第２のカッター本体の貫通孔３が非連通となる位置に回動させる。
【００５４】
すると、第２のカッター本体５の貫通孔３の対向面側の縁部に形成された剪断刃２１が、第１のカッター本体４の貫通孔３に上記対向面に垂直となるように維持された歯科用ファイバー１７を剪断力により切断する。
【００５５】
この結果、予め歯科用ファイバー１７に印を記入する必要が無く、定規で確認した根管の長さ寸法に位置する目盛に上記歯科用ファイバーの先端を合わせて切断することにより、容易に歯科用ファイバーを根管の長さ寸法に切断することが可能である。
【００５６】
さらに、第１のカッター本体４の貫通孔３を、対向面側から外面側に向けて、歯科用ファイバー１７の径と略同径となるように穿設しているために、歯科用ファイバー１７を対向面に対して垂直な状態を維持することが可能である。この結果、上記歯科用ファイバーが斜めに切断して、繊維がほぐれてしまうことを防止することが可能である。
【００５７】
加えて、第２のカッター本体５の貫通孔３を、上記対向面側が上記歯科用ファイバーの径と略同径に穿設するとともに、対向面側から外方面側に向かうに連れて拡径するテーパー状に穿設しているために、第２のカッター本体５の貫通孔３の対向面側の縁部に鋭利な剪断刃２１が形成される。これにより、歯科用ファイバー１７の切断面を潰すことなく切断することが可能である。
【００５８】
そして、ファイバー用ケース２の歯科用ファイバー１７を挿入した貫通孔３と連通するファイバー用ポケット１５が、切断された歯科用ファイバー１７を受け取り・保持する。
【００５９】
この時、第１のカッターの本体４の貫通孔３は、ファイバー用ケース２の開口部１３によって覆われているために、ファイバーカッター１により歯科用ファイバー１７を切断すると同時に、その歯科用ファイバー１７を、ファイバー用ケース２が受取・保持するために、歯科用ファイバー１７を紛失することがなくなるとともに、床などに落ちたりして汚れることがなくなる。
【００６０】
また、ファイバー用ケース２は、異なる径の貫通孔３毎にファイバー用ポケット１５を設けているために、異なる径の歯科用ファイバー１７同士が混在することなく、歯科用ファイバー１７を異なる径毎に分別してファイバー用ケース２に保持することが可能となる。
【００６１】
そして、歯科用ファイバー１７を保持しているファイバー用ケース２をファイバーカッター１から取り外して、ファイバー用ポケット１５から歯科用ファイバー１７を取り出すことにより、支台歯を形成するべく所定の長さに剪断された歯科用ファイバー１７が形成される。
【００６２】
この際、ファイバー用ケース２に、第１のカッター本体４の外面と磁着するコバルト磁石を備えているために、第１のカッター本体４の外面から、ファイバー用ケース２を容易に取外しすることが可能となる。このため、切断した上記歯科用ファイバーを上記ファイバー用ケースから簡単に取り出すことが可能となる。
【００６３】
加えて、ファイバーカッター１を構成しているマルテンサイト系ステンレスは、他の系統のステンレスと異なり、焼き入れを行うことが可能であるために、ファイバーカッター１の硬度を向上させることが可能である。そして、焼き入れを行なっても磁性を有するために、ファイバー用ケース２と第１のカッター本体４とを磁石により着脱することが可能となる。さらに、完全焼き入れ状態にして表面を研磨することにより耐蝕性有するために、衛生的に歯科用ファイバー１７を切断することが可能である。
【００６４】
また、ファイバー用ケース２を構成しているＴＰＸは、プラスチック等に比べても、非常に透過度が良く、確実に歯科用ファイバー１７を視認することが可能である。また、他の透明樹脂のポリカーボネートやアクリルに比べて薬品等に強く、滅菌・消毒液にも耐性を持つとともに、高温の水や水蒸気にも耐性を持つことから、煮沸消毒なども行なうことが可能であり、歯科用ファイバー１７を衛生的に保持することが可能である。
【００６５】
さらに、ファイバー用ケース２の開口部１３側に設けた当該コバルト磁石は、磁石の中でも耐蝕性が良く、磁力も強いために、他の磁石に比べて、衛生的に使用し続けることが可能であるとともに、使用時に、ファイバー用ケース２が第１のカッター本体４から外れてしまうことを効果的に防止することが可能である。
【符号の説明】
【００６６】
１  ファイバーカッター
２  ファイバー用ケース
３  貫通孔
４  第１のカッター本体
５  第２のカッター本体
１０  凹部
１２  目盛
１３  開口部（ファイバー用ケースの開口部）
１４  開口部（ファイバー用ポケットの開口部）
１５  ファイバー用ポケット
１６  凸部
１７  歯科用ファイバー
１８  中心部
１９  磁石（コバルト磁石）
【図１】
0003152527.tif 000003
【図２】
0003152527.tif 000004
【図３】
0003152527.tif 000005
【図４】
0003152527.tif 000006
【手続補正書】
【提出日】平成21年6月2日(2009.6.2)
【手続補正１】
【補正対象書類名】実用新案登録請求の範囲
【補正対象項目名】請求項４
【補正方法】変更
【補正の内容】
【請求項４】
上記ファイバー用ケースは、ポリメチルペンテンポリマーにより構成されてなることを特徴とする請求項１〜３のいずれかに記載のファイバー用カッター。
【手続補正２】
【補正対象書類名】明細書
【補正対象項目名】００１４
【補正方法】変更
【補正の内容】
【００１４】
さらに、請求項４に記載の本考案は、上記ファイバー用ケースは、ポリメチルペンテンポリマーにより構成されてなることを特徴とするものである。
【手続補正３】
【補正対象書類名】明細書
【補正対象項目名】００２４
【補正方法】変更
【補正の内容】
【００２４】
さらに、請求項４に記載の本考案によれば、上記ファイバー用ケースを、ポリメチルペンテンポリマーにより構成してなるために、プラスチック等に比べても、非常に透過度が良く、確実に上記歯科用ファイバーを視認可能である。また、他の透明樹脂のポリカーボネートやアクリルに比べて薬品等に強く、滅菌・消毒液にも耐性を持つとともに、高温の水や水蒸気にも耐性を持つことから、煮沸消毒なども行なうことが可能であり、上記歯科用ファイバーを上記ファイバー用ケース無いに衛生的に保持することが可能である。
【手続補正４】
【補正対象書類名】明細書
【補正対象項目名】００４１
【補正方法】変更
【補正の内容】
【００４１】
一方、ファイバー用ケース２は、図３に示すように、外部から上記歯科用ファイバーを視認可能な透過度を有する素材であるポリメチルペンテンポリマー（ＴＰＸ（登録商標））により略有底円筒状に形成されている。
【手続補正５】
【補正対象書類名】明細書
【補正対象項目名】００５２
【補正方法】変更
【補正の内容】
【００５２】
また、ファイバー用ケース２を、外部から歯科用ファイバー１７を視認可能な透過度を有する素材であるポリメチルペンテンポリマー（ＴＰＸ（登録商標））により構成しているために、歯科用ファイバー１７の先端が確実に根管の長さ寸法に位置する目盛１２へと到達したことを、ケースの外部から目視により確認できる。
【手続補正６】
【補正対象書類名】明細書
【補正対象項目名】００６４
【補正方法】変更
【補正の内容】
【００６４】
また、ファイバー用ケース２を構成しているポリメチルペンテンポリマー（ＴＰＸ（登録商標））は、プラスチック等に比べても、非常に透過度が良く、確実に歯科用ファイバー１７を視認することが可能である。また、他の透明樹脂のポリカーボネートやアクリルに比べて薬品等に強く、滅菌・消毒液にも耐性を持つとともに、高温の水や水蒸気にも耐性を持つことから、煮沸消毒なども行なうことが可能であり、歯科用ファイバー１７を衛生的に保持することが可能である。